(57)【要約】【課題】  印刷装置においてラベル印刷を行おうとする光学式記録媒体としてのＣＤ−Ｒ、ＤＶＤ−Ｒ等の光ディスクの中心位置をより正確に決定することが可能な光学式記録媒体の中心位置決定装置及び中心位置決定方法並びに印刷装置を提供する。【解決手段】  本発明に係る光学式記録媒体の中心位置決定装置及び中心位置決定方法並びに印刷装置は、光ディスクの直接走査に基づく光ディスクの中心位置及びディスクトレイの走査に基づくディスク載置部の中心位置の双方を特定すると共に、二つの中心位置の間の中心間距離を算出し、当該中心間距離が所定の基準値未満であるときは光ディスクの直接走査に基づき特定された光ディスクの中心位置を光ディスクの中心位置として決定し、当該中心間距離が所定の基準値以上であるときはディスクトレイの走査に基づき特定されたディスク載置部の中心位置を光ディスクの中心位置として決定するものである。【選択図】  図１８
2005138431.tif 000002
【特許請求の範囲】
【請求項１】
印刷装置によるラベル印刷の対象となる光学式記録媒体を載置する凹陥部として形成されたディスク載置部を有し、前記ディスク載置部の中心位置が光学式走査により直接又は間接に特定可能なディスクトレイと、
走査対象物に対し照射光を出射する発光部、及び、前記走査対象物の表面において反射された反射光を受光して検出し、前記反射光の強度に応じた値の受光出力信号を変換生成する受光部を有する光学式センサと、
前記ディスク載置部に載置された前記光学式記録媒体及び前記ディスクトレイの表面の前記光学式センサによる走査結果に基づきそれぞれ特定した前記光学式記録媒体及び前記ディスクトレイの中心位置の間の中心間距離を算出して前記中心間距離を所定の基準値と比較し、前記中心間距離が前記基準値未満の値であるときは、前記光学式記録媒体の中心位置を光学式記録媒体の中心位置として決定し、前記中心間距離が前記基準値以上の値であるときは、前記ディスク載置部の中心位置を光学式記録媒体の中心位置として決定するコントローラと、
を備えていることを特徴とする光学式記録媒体の中心位置決定装置。
【請求項２】
前記所定の基準値は、前記光学式記録媒体が円形光ディスクである場合において前記光学式センサによる走査結果に基づき特定した前記光学式記録媒体の中心位置と実際の前記光学式記録媒体の中心位置との最大誤差に相当する距離と同等の値であることを特徴とする請求項１に記載の光学式記録媒体の中心位置決定装置。
【請求項３】
前記所定の基準値は、０．４ｍｍ乃至０．５ｍｍの範囲の値であることを特徴とする請求項２に記載の光学式記録媒体の中心位置決定装置。
【請求項４】
前記ディスクトレイは、前記ディスク載置部の中心位置に関連付けて配置され且つ光学式走査により検出可能な位置標識を備えていることを特徴とする請求項１乃至３のいずれかに記載の光学式記録媒体の中心位置決定装置。
【請求項５】
前記位置標識は、前記印刷装置の印刷媒体搬送方向に直交する主走査方向における前記ディスク載置部の中心の主走査方向座標、前記印刷媒体搬送方向に平行な副走査方向における前記ディスク載置部の中心の副走査方向座標をそれぞれ示す２個の位置標識であることを特徴とする請求項４に記載の光学式記録媒体の中心位置決定装置。
【請求項６】
前記位置標識は、前記印刷装置の印刷媒体搬送方向に直交する主走査方向の第１の走査ライン上に位置する第１及び第２の位置標識であって、前記第１及び第２の位置標識間を前記主走査方向に結ぶ線分の垂直二等分線が前記ディスク載置部の中心を通過するように配設されている前記第１及び第２の位置標識と、前記印刷媒体搬送方向に平行な副走査方向の第２の走査ライン上に位置する第３及び第４の位置標識であって、前記第３及び第４の位置標識間を前記副走査方向に結ぶ線分の垂直二等分線が前記ディスク載置部の中心を通過するように配設されている前記第３及び第４の位置標識とを含むことを特徴とする請求項４に記載の光学式記録媒体の中心位置決定装置。
【請求項７】
印刷装置によるラベル印刷の対象となる光学式記録媒体を載置する凹陥部として形成されたディスク載置部を有し、前記ディスク載置部の中心位置が光学式走査により直接又は間接に特定可能なディスクトレイの前記ディスク載置部に前記光学式記録媒体を載置する過程と、
走査対象物に対し照射光を出射する発光部、及び、前記走査対象物の表面において反射された反射光を受光して検出し、前記反射光の強度に応じた値の受光出力信号を変換生成する受光部を有する光学式センサにより、前記ディスク載置部に載置された前記光学式記録媒体及び前記ディスクトレイの表面を走査する過程と、
前記光学式センサによる走査結果に基づきそれぞれ特定した前記光学式記録媒体及び前記ディスクトレイの中心位置の間の中心間距離を算出して前記中心間距離を所定の基準値と比較し、前記中心間距離が前記基準値未満の値であるときは、前記光学式記録媒体の中心位置を光学式記録媒体の中心位置として決定し、前記中心間距離が前記基準値以上の値であるときは、前記ディスク載置部の中心位置を光学式記録媒体の中心位置として決定する過程と、
を備えていることを特徴とする光学式記録媒体の中心位置決定方法。
【請求項８】
前記所定の基準値は、前記光学式記録媒体が円形光ディスクである場合において前記光学式センサによる走査結果に基づき特定した前記光学式記録媒体の中心位置と実際の前記光学式記録媒体の中心位置との最大誤差に相当する距離と同等の値であることを特徴とする請求項７に記載の光学式記録媒体の中心位置決定方法。
【請求項９】
前記所定の基準値は、０．４ｍｍ乃至０．５ｍｍの範囲の値であることを特徴とする請求項８に記載の光学式記録媒体の中心位置決定方法。
【請求項１０】
印刷媒体を搬送する印刷媒体搬送機構と、
インクを吐出する複数のインク吐出部が形成された印刷ヘッドと、
ラベル印刷の対象となる前記印刷媒体としての光学式記録媒体を載置する凹陥部として形成されたディスク載置部を有し、前記ディスク載置部の中心位置が光学式走査により直接又は間接に特定可能なディスクトレイであって、前記ディスク載置部に載置された前記光学式記録媒体と共に前記印刷媒体搬送機構により搬送される前記ディスクトレイと、
走査対象物に対し照射光を出射する発光部、及び、前記走査対象物の表面において反射された反射光を受光して検出し、前記反射光の強度に応じた値の受光出力信号を変換生成する受光部を有する光学式センサと、
前記印刷ヘッド及び前記光学式センサを搭載し、前記印刷媒体上において印刷媒体搬送方向に直交する主走査方向に駆動されるキャリッジと、
前記ディスク載置部に載置された前記光学式記録媒体及び前記ディスクトレイの表面の前記光学式センサによる走査結果に基づきそれぞれ特定した前記光学式記録媒体及び前記ディスクトレイの中心位置の間の中心間距離を算出して前記中心間距離を所定の基準値と比較し、前記中心間距離が前記基準値未満の値であるときは、前記光学式記録媒体の中心位置を光学式記録媒体の中心位置として決定し、前記中心間距離が前記基準値以上の値であるときは、前記ディスク載置部の中心位置を光学式記録媒体の中心位置として決定するコントローラと、
を備えていることを特徴とする印刷装置。
【請求項１１】
前記所定の基準値は、前記光学式記録媒体が円形光ディスクである場合において前記光学式センサによる走査結果に基づき特定した前記光学式記録媒体の中心位置と実際の前記光学式記録媒体の中心位置との最大誤差に相当する距離と同等の値であることを特徴とする請求項１０に記載の印刷装置。
【請求項１２】
前記所定の基準値は、０．４ｍｍ乃至０．５ｍｍの範囲の値であることを特徴とする請求項１１に記載の印刷装置。
【請求項１３】
前記ディスクトレイは、前記ディスク載置部の中心位置に関連付けて配置され且つ光学式走査により検出可能な位置標識を備えていることを特徴とする請求項１０乃至１２のいずれかに記載の印刷装置。
【請求項１４】
前記位置標識は、前記主走査方向における前記ディスク載置部の中心の主走査方向座標、前記印刷媒体搬送方向に平行な副走査方向における前記ディスク載置部の中心の副走査方向座標をそれぞれ示す２個の位置標識であることを特徴とする請求項１３に記載の印刷装置。
【請求項１５】
前記位置標識は、前記主走査方向の第１の走査ライン上に位置する第１及び第２の位置標識であって、前記第１及び第２の位置標識間を前記主走査方向に結ぶ線分の垂直二等分線が前記ディスク載置部の中心を通過するように配設されている前記第１及び第２の位置標識と、前記印刷媒体搬送方向に平行な副走査方向の第２の走査ライン上に位置する第３及び第４の位置標識であって、前記第３及び第４の位置標識間を前記副走査方向に結ぶ線分の垂直二等分線が前記ディスク載置部の中心を通過するように配設されている前記第３及び第４の位置標識とを含むことを特徴とする請求項１３に記載の印刷装置。
【請求項１６】
前記光学式センサによる前記主走査方向の走査は、前記キャリッジの駆動動作により行い、前記光学式センサによる前記印刷媒体搬送方向に平行な副走査方向の走査は、前記印刷媒体搬送機構による前記ディスクトレイの搬送動作により行うことを特徴とする請求項１０乃至１５に記載の印刷装置。
【発明の詳細な説明】
【技術分野】
【０００１】
本発明は、光学式記録媒体（以下、「光ディスク」ともいう。）の中心位置決定装置及び中心位置決定方法並びに印刷装置に係り、特に、印刷装置においてラベル印刷を行おうとする光学式記録媒体又はそれを載置する光学式記録媒体トレイを光学式センサを用いて走査することにより光学式記録媒体の中心位置を決定する中心位置決定装置及び中心位置決定方法、並びに、そのような中心位置決定装置を備えた印刷装置に関する。
【背景技術】
【０００２】
ＣＤ−Ｒ、ＤＶＤ−Ｒ等の光ディスクは、様々なデータを記録するための記録媒体として普及してきている。
【０００３】
そして、各家庭、各職場等においてデータ記録済みの光ディスクの枚数が増加してくると、多数の光ディスクを整理して管理するために、光ディスクのラベル面にタイトル等を記載する必要が生じてくる。
【０００４】
光ディスクのラベル面へのタイトル等の記載は、手書きにより行うことも可能であるが、ラベルを綺麗に印刷したいという需要が多いため、光ディスクのラベル印刷が可能な印刷装置が増加してきている。
【０００５】
斯かる印刷装置においては、専用のディスクトレイに光ディスクを載置してディスクトレイと共に光ディスクを印刷装置に挿入し、光ディスクのラベル印刷を行う（例えば、特許文献１参照）。
【特許文献１】特開２００２−１２７５２０号公報
【発明の開示】
【発明が解決しようとする課題】
【０００６】
ところで、ＣＤ−Ｒ、ＤＶＤ−Ｒ等の光ディスクは、通常、回転駆動のための開口部が中心部に形成された円形ディスクであるため、上述のような光ディスクのラベル印刷を高品質に行うための一つの条件として、光ディスクの中心位置を正確に検出し決定することが要求される。
【０００７】
従来の技術における光ディスクの中心位置の検出及び決定方法には、大きく分けて二通りの方法がある。
【０００８】
第一の方法は、光学式センサを用いて光ディスクを直接走査して検出した光ディスクの周縁部４箇所の座標から光ディスクの中心位置を算出して決定する方法である。
【０００９】
第二の方法は、同様に光学式センサを用いるが、光ディスクを直接走査するのではなく、光ディスクを載置するディスクトレイを走査して検出したディスクトレイ上の複数箇所の座標からディスクトレイのディスク載置部の中心位置を算出し、光ディスクがディスク載置部に正常に載置されているとの仮定条件の下に、ディスク載置部の中心位置を光ディスクの中心位置とみなして、光ディスクの中心位置を決定する方法である。
【００１０】
しかしながら、近来使用されているＣＤ−Ｒ、ＤＶＤ−Ｒ等の光ディスクのなかには、形状が円形ではなく、名刺サイズの略長方形のものや、楕円形のもの等、異形ディスクが存在する。また、一般に販売されている記録用光ディスクのラベル面は必ずしも完全な無地ではなく、一部に文字や図形等が予め印刷されているものも少なくない。
【００１１】
従って、上記第一の方法のように光ディスクを直接走査する方法では、光ディスクの中心位置を正確に決定することができない場合がある。
【００１２】
一方、様々なメーカーがそれぞれ独自に品質管理して製造し販売している記録用光ディスクの中心部に形成された開口部の位置及び大きさには、多少のばらつきがあるため、上記第二の方法のようにディスクトレイのみを走査してディスク載置部の中心位置を算出し、それを光ディスクの中心位置とみなす方法でも、光ディスクの中心位置を正確に決定することができない場合がある。
【課題を解決するための手段】
【００１３】
本発明の目的は、印刷装置においてラベル印刷を行おうとする光学式記録媒体としてのＣＤ−Ｒ、ＤＶＤ−Ｒ等の光ディスクの中心位置をより正確に決定することが可能な光学式記録媒体の中心位置決定装置及び中心位置決定方法並びに印刷装置を提供することである。
【００１４】
本発明の実施の一形態に係る光学式記録媒体の中心位置決定装置によれば、
印刷装置によるラベル印刷の対象となる光学式記録媒体を載置する凹陥部として形成されたディスク載置部を有し、上記ディスク載置部の中心位置が光学式走査により直接又は間接に特定可能なディスクトレイと、
走査対象物に対し照射光を出射する発光部、及び、上記走査対象物の表面において反射された反射光を受光して検出し、上記反射光の強度に応じた値の受光出力信号を変換生成する受光部を有する光学式センサと、
上記ディスク載置部に載置された上記光学式記録媒体及び上記ディスクトレイの表面の上記光学式センサによる走査結果に基づきそれぞれ特定した上記光学式記録媒体及び上記ディスクトレイの中心位置の間の中心間距離を算出して上記中心間距離を所定の基準値と比較し、上記中心間距離が上記基準値未満の値であるときは、上記光学式記録媒体の中心位置を光学式記録媒体の中心位置として決定し、上記中心間距離が上記基準値以上の値であるときは、上記ディスク載置部の中心位置を光学式記録媒体の中心位置として決定するコントローラと、
を備えていることを特徴とする。
【００１５】
本発明の実施の一形態に係る光学式記録媒体の中心位置決定装置の上記構成において、上記所定の基準値は、上記光学式記録媒体が円形光ディスクである場合において上記光学式センサによる走査結果に基づき特定した上記光学式記録媒体の中心位置と実際の上記光学式記録媒体の中心位置との最大誤差に相当する距離と同等の値であるものとするとよい。
【００１６】
具体的には、上記所定の基準値は、０．４ｍｍ乃至０．５ｍｍの範囲の値であるものとするとよい。
【００１７】
上記ディスクトレイは、上記ディスク載置部の中心位置に関連付けて配置され且つ光学式走査により検出可能な位置標識を備えているものとするとよい。
【００１８】
上記位置標識は、上記印刷装置の印刷媒体搬送方向に直交する主走査方向における上記ディスク載置部の中心の主走査方向座標、上記印刷媒体搬送方向に平行な副走査方向における上記ディスク載置部の中心の副走査方向座標をそれぞれ示す２個の位置標識であるものとするとよい。
【００１９】
又は、上記位置標識は、上記印刷装置の印刷媒体搬送方向に直交する主走査方向の第１の走査ライン上に位置する第１及び第２の位置標識であって、上記第１及び第２の位置標識間を上記主走査方向に結ぶ線分の垂直二等分線が上記ディスク載置部の中心を通過するように配設されている上記第１及び第２の位置標識と、上記印刷媒体搬送方向に平行な副走査方向の第２の走査ライン上に位置する第３及び第４の位置標識であって、上記第３及び第４の位置標識間を上記副走査方向に結ぶ線分の垂直二等分線が上記ディスク載置部の中心を通過するように配設されている上記第３及び第４の位置標識とを含むものとするとよい。
【００２０】
後者の上記位置標識を備えたディスクトレイを用いる場合における本発明の具体的な実施の一形態に係る光学式記録媒体の中心位置決定装置は、
印刷装置によるラベル印刷の対象となる光学式記録媒体を載置するために形成されたディスク載置部と、上記印刷装置の印刷媒体搬送方向に直交する主走査方向の第１の走査ライン上に位置する第１及び第２の位置標識であって、上記第１及び第２の位置標識間を上記主走査方向に結ぶ線分の垂直二等分線が上記ディスク載置部の中心を通過するように配設されている上記第１及び第２の位置標識と、上記印刷媒体搬送方向に平行な副走査方向の第２の走査ライン上に位置する第３及び第４の位置標識であって、上記第３及び第４の位置標識間を上記副走査方向に結ぶ線分の垂直二等分線が上記ディスク載置部の中心を通過するように配設されている上記第３及び第４の位置標識とを備えたディスクトレイと、
上記ディスク載置部に載置された上記光学式記録媒体及び上記ディスクトレイに対し照射光を出射する発光部、及び、上記光学式記録媒体及び上記ディスクトレイ表面において反射された反射光を受光して検出し、上記反射光の強度に応じた値の受光出力信号を変換生成する受光部を有し、上記第１及び第２の走査ラインに沿って走査を行い、上記第１乃至第４の位置標識を検出すると共に、上記主走査方向に上記光学式記録媒体上を通過する第３の走査ライン及び上記副走査方法に上記光学式記録媒体上を通過する第４の走査ラインに沿って走査を行い、上記第３及び第４の走査ラインと上記光学式記録媒体の周縁部との４箇所の交点を検出する光学式センサと、
上記第１乃至第４の位置標識の座標から上記ディスク載置部の中心位置を、上記４箇所の交点の座標から上記光学式記録媒体の中心位置をそれぞれ算出すると共に、上記ディスク載置部の中心位置と上記光学式記録媒体の中心位置と間の中心間距離を算出して上記中心間距離を所定の基準値と比較し、上記中心間距離が上記基準値未満の値であるときは、上記光学式記録媒体の中心位置を光学式記録媒体の中心位置として決定し、上記中心間距離が上記基準値以上の値であるときは、上記ディスク載置部の中心位置を光学式記録媒体の中心位置として決定するコントローラと、
を備えていることを特徴とする。
【００２１】
本発明の実施の一形態に係る光学式記録媒体の中心位置決定方法によれば、
印刷装置によるラベル印刷の対象となる光学式記録媒体を載置する凹陥部として形成されたディスク載置部を有し、上記ディスク載置部の中心位置が光学式走査により直接又は間接に特定可能なディスクトレイの上記ディスク載置部に上記光学式記録媒体を載置する過程と、
走査対象物に対し照射光を出射する発光部、及び、上記走査対象物の表面において反射された反射光を受光して検出し、上記反射光の強度に応じた値の受光出力信号を変換生成する受光部を有する光学式センサにより、上記ディスク載置部に載置された上記光学式記録媒体及び上記ディスクトレイの表面を走査する過程と、
上記光学式センサによる走査結果に基づきそれぞれ特定した上記光学式記録媒体及び上記ディスクトレイの中心位置の間の中心間距離を算出して上記中心間距離を所定の基準値と比較し、上記中心間距離が上記基準値未満の値であるときは、上記光学式記録媒体の中心位置を光学式記録媒体の中心位置として決定し、上記中心間距離が上記基準値以上の値であるときは、上記ディスク載置部の中心位置を光学式記録媒体の中心位置として決定する過程と、
を備えていることを特徴とする。
【００２２】
本発明の実施の一形態に係る光学式記録媒体の中心位置決定方法の上記構成において、上記所定の基準値は、上記光学式記録媒体が円形光ディスクである場合において上記光学式センサによる走査結果に基づき特定した上記光学式記録媒体の中心位置と実際の上記光学式記録媒体の中心位置との最大誤差に相当する距離と同等の値であるものとするとよい。
【００２３】
具体的には、上記所定の基準値は、０．４ｍｍ乃至０．５ｍｍの範囲の値であるものとするとよい。
【００２４】
上記ディスクトレイは、上記ディスク載置部の中心位置に関連付けて配置され且つ光学式走査により検出可能な位置標識を備えているものであって、上記位置標識は、上記印刷装置の印刷媒体搬送方向に直交する主走査方向の第１の走査ライン上に位置する第１及び第２の位置標識であって、上記第１及び第２の位置標識間を上記主走査方向に結ぶ線分の垂直二等分線が上記ディスク載置部の中心を通過するように配設されている上記第１及び第２の位置標識と、上記印刷媒体搬送方向に平行な副走査方向の第２の走査ライン上に位置する第３及び第４の位置標識であって、上記第３及び第４の位置標識間を上記副走査方向に結ぶ線分の垂直二等分線が上記ディスク載置部の中心を通過するように配設されている上記第３及び第４の位置標識とを含むものである場合における本発明の具体的な実施の一形態に係る光学式記録媒体の中心位置決定方法は、
印刷装置によるラベル印刷の対象となる光学式記録媒体を載置するために形成されたディスク載置部と、上記印刷装置の印刷媒体搬送方向に直交する主走査方向の第１の走査ライン上に位置する第１及び第２の位置標識であって、上記第１及び第２の位置標識間を上記主走査方向に結ぶ線分の垂直二等分線が上記ディスク載置部の中心を通過するように配設されている上記第１及び第２の位置標識と、上記印刷媒体搬送方向に平行な副走査方向の第２の走査ライン上に位置する第３及び第４の位置標識であって、上記第３及び第４の位置標識間を上記副走査方向に結ぶ線分の垂直二等分線が上記ディスク載置部の中心を通過するように配設されている上記第３及び第４の位置標識とを備えたディスクトレイに上記光学式記録媒体を載置する過程と、
上記ディスク載置部に載置された上記光学式記録媒体及び上記ディスクトレイに対し照射光を出射する発光部、及び、上記光学式記録媒体及び上記ディスクトレイ表面において反射された反射光を受光して検出し、上記反射光の強度に応じた値の受光出力信号を変換生成する受光部を有する光学式センサにより、上記第１及び第２の走査ラインに沿って走査を行い、上記第１乃至第４の位置標識を検出すると共に、上記主走査方向に上記光学式記録媒体上を通過する第３の走査ライン及び上記副走査方法に上記光学式記録媒体上を通過する第４の走査ラインに沿って走査を行い、上記第３及び第４の走査ラインと上記光学式記録媒体の周縁部との４箇所の交点を検出する過程と、
上記第１乃至第４の位置標識の座標から上記ディスク載置部の中心位置を、上記４箇所の交点の座標から上記光学式記録媒体の中心位置をそれぞれ算出すると共に、上記ディスク載置部の中心位置と上記光学式記録媒体の中心位置と間の中心間距離を算出して上記中心間距離を所定の基準値と比較し、上記中心間距離が上記基準値未満の値であるときは、上記光学式記録媒体の中心位置を光学式記録媒体の中心位置として決定し、上記中心間距離が上記基準値以上の値であるときは、上記ディスク載置部の中心位置を光学式記録媒体の中心位置として決定する過程と、
を備えていることを特徴とする。
【００２５】
本発明の実施の一形態に係る印刷装置によれば、
印刷媒体を搬送する印刷媒体搬送機構と、
インクを吐出する複数のインク吐出部が形成された印刷ヘッドと、
ラベル印刷の対象となる上記印刷媒体としての光学式記録媒体を載置する凹陥部として形成されたディスク載置部を有し、上記ディスク載置部の中心位置が光学式走査により直接又は間接に特定可能なディスクトレイであって、上記ディスク載置部に載置された上記光学式記録媒体と共に上記印刷媒体搬送機構により搬送される上記ディスクトレイと、
走査対象物に対し照射光を出射する発光部、及び、上記走査対象物の表面において反射された反射光を受光して検出し、上記反射光の強度に応じた値の受光出力信号を変換生成する受光部を有する光学式センサと、
上記印刷ヘッド及び上記光学式センサを搭載し、上記印刷媒体上において印刷媒体搬送方向に直交する主走査方向に駆動されるキャリッジと、
上記ディスク載置部に載置された上記光学式記録媒体及び上記ディスクトレイの表面の上記光学式センサによる走査結果に基づきそれぞれ特定した上記光学式記録媒体及び上記ディスクトレイの中心位置の間の中心間距離を算出して上記中心間距離を所定の基準値と比較し、上記中心間距離が上記基準値未満の値であるときは、上記光学式記録媒体の中心位置を光学式記録媒体の中心位置として決定し、上記中心間距離が上記基準値以上の値であるときは、上記ディスク載置部の中心位置を光学式記録媒体の中心位置として決定するコントローラと、
を備えていることを特徴とする。
【００２６】
本発明の実施の一形態に係る印刷装置の上記構成において、上記所定の基準値は、上記光学式記録媒体が円形光ディスクである場合において上記光学式センサによる走査結果に基づき特定した上記光学式記録媒体の中心位置と実際の上記光学式記録媒体の中心位置との最大誤差に相当する距離と同等の値であるものとするとよい。
【００２７】
具体的には、上記所定の基準値は、０．４ｍｍ乃至０．５ｍｍの範囲の値であるものとするとよい。
【００２８】
上記ディスクトレイは、上記ディスク載置部の中心位置に関連付けて配置され且つ光学式走査により検出可能な位置標識を備えているものとするとよい。
【００２９】
上記位置標識は、上記主走査方向における上記ディスク載置部の中心の主走査方向座標、上記印刷媒体搬送方向に平行な副走査方向における上記ディスク載置部の中心の副走査方向座標をそれぞれ示す２個の位置標識であるものとするとよい。
【００３０】
又は、上記位置標識は、上記主走査方向の第１の走査ライン上に位置する第１及び第２の位置標識であって、上記第１及び第２の位置標識間を上記主走査方向に結ぶ線分の垂直二等分線が上記ディスク載置部の中心を通過するように配設されている上記第１及び第２の位置標識と、上記印刷媒体搬送方向に平行な副走査方向の第２の走査ライン上に位置する第３及び第４の位置標識であって、上記第３及び第４の位置標識間を上記副走査方向に結ぶ線分の垂直二等分線が上記ディスク載置部の中心を通過するように配設されている上記第３及び第４の位置標識とを含むものとするとよい。
【００３１】
上記光学式センサによる上記主走査方向の走査は、上記キャリッジの駆動動作により行い、上記光学式センサによる上記印刷媒体搬送方向に平行な副走査方向の走査は、上記印刷媒体搬送機構による上記ディスクトレイの搬送動作により行うものとするとよい。
【００３２】
後者の上記位置標識を備えたディスクトレイを用いる場合における本発明の具体的な実施の一形態に係る印刷装置は、
印刷媒体を搬送する印刷媒体搬送機構と、
インクを吐出する複数のインク吐出部が形成された印刷ヘッドと、
ラベル印刷の対象となる上記印刷媒体としての光学式記録媒体を載置するために形成されたディスク載置部と、上記印刷媒体搬送機構の印刷媒体搬送方向に直交する主走査方向の第１の走査ライン上に位置する第１及び第２の位置標識であって、上記第１及び第２の位置標識間を上記主走査方向に結ぶ線分の垂直二等分線が上記ディスク載置部の中心を通過するように配設されている上記第１及び第２の位置標識と、上記印刷媒体搬送方向に平行な副走査方向の第２の走査ライン上に位置する第３及び第４の位置標識であって、上記第３及び第４の位置標識間を上記副走査方向に結ぶ線分の垂直二等分線が上記ディスク載置部の中心を通過するように配設されている上記第３及び第４の位置標識とを備え、上記ディスク載置部に載置された上記光学式記録媒体と共に上記印刷媒体搬送機構により搬送されるディスクトレイと、
上記ディスク載置部に載置された上記光学式記録媒体及び上記ディスクトレイに対し照射光を出射する発光部、及び、上記光学式記録媒体及び上記ディスクトレイ表面において反射された反射光を受光して検出し、上記反射光の強度に応じた値の受光出力信号を変換生成する受光部を有し、上記第１及び第２の走査ラインに沿って走査を行い、上記第１乃至第４の位置標識を検出すると共に、上記主走査方向に上記光学式記録媒体上を通過する第３の走査ライン及び上記副走査方法に上記光学式記録媒体上を通過する第４の走査ラインに沿って走査を行い、上記第３及び第４の走査ラインと上記光学式記録媒体の周縁部との４箇所の交点を検出する光学式センサと、
上記印刷ヘッド及び上記光学式センサを搭載し、上記印刷媒体上において上記主走査方向に駆動されるキャリッジと、
上記第１乃至第４の位置標識の座標から上記ディスク載置部の中心位置を、上記４箇所の交点の座標から上記光学式記録媒体の中心位置をそれぞれ算出すると共に、上記ディスク載置部の中心位置と上記光学式記録媒体の中心位置と間の中心間距離を算出して上記中心間距離を所定の基準値と比較し、上記中心間距離が上記基準値未満の値であるときは、上記光学式記録媒体の中心位置を光学式記録媒体の中心位置として決定し、上記中心間距離が上記基準値以上の値であるときは、上記ディスク載置部の中心位置を光学式記録媒体の中心位置として決定するコントローラと、
を備えていることを特徴とする。
【発明の効果】
【００３３】
本発明に係る光学式記録媒体の中心位置決定装置及び中心位置決定方法並びに印刷装置によれば、印刷装置においてラベル印刷を行おうとする光学式記録媒体としてのＣＤ−Ｒ、ＤＶＤ−Ｒ等の光ディスクの中心位置をより正確に決定することが可能となる。具体的には、光ディスクの直接走査に基づく光ディスクの中心位置及びディスクトレイの走査に基づくディスク載置部の中心位置の双方を特定し、かつ、実際の光ディスクの中心位置に近いと推測される一方の座標を光ディスクの中心位置として採用し決定しているので、より正確かつ高精度な光ディスクの中心位置決定を実現することができる。
【発明を実施するための最良の形態】
【００３４】
以下、本発明に係る光学式記録媒体の中心位置決定装置及び中心位置決定方法並びに印刷装置の実施の一形態について、図面を参照しながら説明する。
【００３５】
最初に、本発明に係る光学式記録媒体の中心位置決定装置及び中心位置決定方法並びに印刷装置の構成の主な適用対象であるインクジェットプリンタの概略構成について説明する。
【００３６】
図１は、本発明に係る光学式記録媒体の中心位置決定装置及び中心位置決定方法並びに印刷装置の構成の主な適用対象であるインクジェットプリンタにおける主要部の概略構成を示す斜視図である。
【００３７】
インクジェットプリンタの一例としてのプリンタ２０は、用紙スタッカ２２と、図示しないモータにより駆動され、印刷媒体としての印刷用紙Ｐを搬送する搬送ローラ２４と、プラテン板２６と、キャリッジ２８と、キャリッジモータ３０と、キャリッジモータ３０により駆動される牽引ベルト３２と、キャリッジ２８を案内するためのガイドレール３４とを備えている。
【００３８】
キャリッジ２８には、印刷用紙Ｐの搬送方向（以下、副走査方向ともいう。）に沿って配設されたインク吐出部としての複数個のノズルをそれぞれ含む複数列のノズル列を有する印刷ヘッド３６，各ノズルからのインク吐出の有無を判定する判定装置としての光センサ４１，及び、符号板３３を読み取るためのリニアエンコーダ２９が搭載されている。
【００３９】
搬送ローラ２４の軸にはロータリーエンコーダ２５が設けられており、このロータリーエンコーダ２５の出力に基づいて印刷用紙Ｐの搬送量を制御している。従って、印刷用紙の搬送方向と直交する方向（以下、主走査方向ともいう。）におけるキャリッジ２８の位置はリニアエンコーダ２９により検知し、印刷用紙Ｐの位置はロータリーエンコーダ２５により検知することが可能である。即ち、プリンタ２０は、エンコーダ２５，２９の出力信号に基づいて、キャリッジ２８と印刷用紙Ｐとの相対位置を正確に認識可能な構成とされている。
【００４０】
印刷用紙Ｐは、図示しない給紙ローラにより用紙スタッカ２２から給紙されて搬送ローラ２４により搬送され、プラテン板２６の表面上を副走査方向ＳＳへ送られる。
【００４１】
キャリッジ２８は、キャリッジモータ３０により駆動される牽引ベルト３２に牽引されて、ガイドレール３４に沿って主走査方向ＭＳに移動する。主走査方向ＭＳと副走査方向ＳＳとは直交している。
【００４２】
図２は、印刷ヘッド３６を上方から見た際のノズルと光センサ４１との配置を示す透視図である。
【００４３】
印刷ヘッド３６には、淡ブラックインクを吐出するための淡ブラックインクノズル列ＫLと、淡マゼンタインクを吐出するための淡マゼンタインクノズル列ＭLと、淡シアンインクを吐出するための淡シアンインクノズル列ＣLと、主に自然画を印刷する際に用いるブラックインクを吐出するためのフォトブラックインクノズル列ＫPと、濃ブラックインクを吐出するための濃ブラックインクノズル列ＫDと、濃シアンインクを吐出するための濃シアンインクノズル列ＣDと、濃マゼンタインクを吐出するための濃マゼンタインクノズル列ＭDと、イエローインクを吐出するためのイエローインクノズル列ＹDと、が設けられている。尚、この例では、印刷用紙Ｐの搬送方向下流側に１番ノズル＃１が配置されている。
【００４４】
キャリッジ２８に搭載された光センサ４１は、印刷ヘッド３６の最も反ホームポジション側に位置するイエローインクノズル列ＹDの１番ノズル＃１より搬送方向下流側であって、さらに反ホームポジション側に配置されている。この例では、例えば、イエローインクノズル列ＹDの１番ノズルより搬送方向下流側に８．５８ｍｍ、反ホームポジション側に５１．７５ｍｍの位置に設けられている。
【００４５】
ガイドレール３４に沿って移動するキャリッジ２８の移動範囲内における印刷領域外部には、キャリッジ２８に搭載された印刷ヘッド３６の下方にクリーニング機構２００が設けられている。尚、図１においては、クリーニング機構２００はヘッドキャップ２１０のみ示し、他の構成は省略している。
【００４６】
ヘッドキャップ２１０は、機密性のあるキャップであり、印刷をしていないときに印刷ヘッド３６に被せてノズル内のインクの乾燥を防止するものである。そのため、ヘッドキャップ２１０は、キャリッジ２８の待機位置、いわゆるホームポジション側に設けられている。また、ノズルが詰まった場合にも印刷ヘッド３６にヘッドキャップ２１０を被せてノズルからインクを吸引し、クリーニングを実行する。
【００４７】
各ノズルからのインク吐出の有無を判定する光センサ４１については、後に詳述する。
【００４８】
図３は、プリンタ２０の電気的構成を示すブロック図である。
【００４９】
プリンタ２０は、ホストコンピュータ１００から供給された信号を受信する受信バッファメモリ５０と、印刷データを格納するイメージバッファ５２と、プリンタ２０全体の動作を制御するシステムコントローラ５４と、メインメモリ５６とを備えている。
【００５０】
システムコントローラ５４には、キャリッジモータ３０を駆動する主走査ドライバ６１と、搬送モータ３１を駆動する副走査ドライバ６２と、光センサ４１を駆動する光センサドライバ６３と、印刷ヘッド３６を駆動するヘッドドライバ６６とが接続されている。
【００５１】
光センサドライバ６３は、光センサ４１に備えられた発光部４１ａの発光量を調整可能な光量制御部と、同じく光センサ４１に備えられた受光部４１ｂの出力を調整可能な出力制御部とを備えている。
【００５２】
従って、例えば、所定の印刷用紙により反射した光を受けた受光部４１ｂの出力が所定の値となるように、発光部４１ａの発光量又は受光部４１ｂの出力を調整することが可能である。調整は、システムコントローラ５４が光センサドライバ６３を制御することにより行う。
【００５３】
ホストコンピュータ１００のプリンタドライバ（図示せず）は、ユーザの指定した印刷モード（高速印刷モード、高画質印刷モード等）に基づいて、印刷動作を規定する各種のパラメータ値を決定する。このプリンタドライバは、さらに、これらのパラメータ値に基づいて、その印刷を行うための印刷データを生成し、プリンタ２０に転送する。
【００５４】
転送された印刷データは、一旦、受信バッファメモリ５０に蓄えられる。プリンタ２０内では、システムコントローラ５４が、受信バッファメモリ５０に蓄えられた印刷データの中から必要な情報を読み取り、それに基づいて各ドライバに対して制御信号を送る。
【００５５】
イメージバッファ５２には、受信バッファメモリ５０において受信された印刷データを色成分ごとに分解して得られた複数の色成分の印刷データが格納される。
【００５６】
ヘッドドライバ６６は、システムコントローラ５４からの制御信号に従って、イメージバッファ５２から各色成分の印刷データを読み出し、これに応じて印刷ヘッド３６に設けられた各色のノズル列を駆動する。尚、プリンタ２０各部を制御するのは、システムコントローラ５４である。
【００５７】
また、ホストコンピュータ１００から転送される印刷データは、ホストコンピュータ１００からの転送前に色成分ごとに分解されている印刷データであってもよい。
【００５８】
図４は、光学式センサの二種類の構成を模式的に示す説明図である。
【００５９】
印刷装置に搭載されている光学式センサは、種々の目的に使用することができる。例えば、印刷ヘッドのインクノズルからのインク吐出状態を判定するためのインク吐出判定用光学式センサとしての用途の他、Ｂｉ−Ｄ調整のための印刷パターン検出等、反射光の強度に反映される印刷媒体表面の印刷状態又は印刷媒体の有無の検出による印刷装置の種々の動作状態の判定を行う印刷動作状態判定装置として広く使用することができる。
【００６０】
印刷装置に搭載されている光学式センサは、さらに、光学式記録媒体の中心位置決定装置を構成する光学式センサとしても使用することができる。
【００６１】
尚、ここでは、光学式センサの構成及び動作原理を説明するため、便宜的に光学式センサをインク吐出判定用光学式センサとして説明する。
【００６２】
インク吐出判定用光学式センサとしては、図４（ａ）に示すように、照射光Ｌａが印刷媒体としての印刷用紙表面に対し垂直に照射されるように発光部４１ａの向きが設定されている構成のものと、図４（ｂ）に示すように、照射光４１ａが印刷媒体としての印刷用紙表面に対し斜めに照射されるように発光部４１ａの向きが設定されている構成のものとがある。
【００６３】
ノズルからのインク吐出の有無を判定するための光センサ４１は、図４（ａ）及び図４（ｂ）に示すように、発光部４１ａと受光部４１ｂとを備えている。本実施の形態においては、受光部４１ｂとして、主に反射光の拡散反射成分を受光するための受光部が一つ設けられた例を示しているが、このほかに、主に反射光の正反射成分を受光するための別の受光部を設けた構成としてもよい。
【００６４】
発光部４１ａは、印刷用紙に向けて光を照射するための発光装置である。インク吐出判定の際には、ノズルから吐出したインクにより各ノズルに対応してそれぞれ印刷形成される印刷ブロックを含む印刷パターンが印刷されているべき印刷用紙の領域に向けて光が照射される。
【００６５】
光センサ４１の通常の構成においては、発光部からの照射光の焦点が印刷媒体表面上に合わせられたときに、当該照射光により印刷用紙が照射される領域（以下、「スポット」という。）内に上記印刷パターンの印刷ブロックＢＬが１個含まれるようにスポットが設定されている。
【００６６】
尚、印刷パターンの詳細は、後述する。
【００６７】
発光部４１ａには、発光ダイオード、レーザダイオード、白熱電球等の任意の発光装置を用いることができる。発光部４１ａからの照射光の色は、印刷パターン等の判定対象印刷画像の色に対して補色の関係にある色であることが好ましい。例えば、シアンの印刷画像を検出するには赤色の照射光を用い、マゼンタの印刷画像を検出するためには緑色の照射光を用い、イエローの印刷画像を検出するには青色の照射光を用いるとよい。
【００６８】
照射光の色と印刷画像の色とを補色の関係にすると、そうでない場合に比べて高いレベルの出力信号を得ることができる。
【００６９】
従って、いずれの色の印刷画像に対しても安定した出力を得るためには、照射光が白色である発光装置を用いるとよい。
【００７０】
受光部４１ｂは、印刷パターンにより反射された反射光を検出して電気的信号に変換する光電変換装置である。受光素子としては、フォトダイオード、フォトトランジスタ等を用いるとよい。好ましくは、可視光に対し良好な感度特性を有する受光素子を用いるとよい。
【００７１】
主に拡散反射成分を受光するための受光部４１ｂの位置は、発光部４１ａに対し正反射の位置にないことが望ましい。
【００７２】
例えば、図４（ａ）に示すように、発光部４１ａからの照射光が印刷媒体としての印刷用紙表面に対し垂直に照射されるように発光部４１ａの向きを設定すると共に、印刷用紙表面から斜めに反射された反射光を検出するように受光部４１ｂの向きを設定するとよい。又は、図４（ｂ）に示すように、発光部４１ａからの照射光が印刷媒体としての印刷用紙表面に対し斜めに照射されるように発光部４１ａの向きを設定すると共に、印刷用紙表面に対し垂直な反射光を検出するように受光部４１ｂの向きを設定してもよい。
【００７３】
特に光沢系印刷用紙のように、表面にコーティング層が形成されている印刷媒体においては、入射光の大半が表面のコーティング層により正反射されてしまうが、受光部４１ｂを発光部４１ａに対して正反射の位置に取り付けない場合は、コーティング層の下にある印刷ブロックの色も確実に判別することができる。
【００７４】
発光部４１ａから出射された照射光は、印刷ブロックが印刷された印刷用紙により反射され、その反射光の拡散反射成分が受光部４１ｂに到達する。受光部４１ｂは、検出した反射光の強度に応じた電気的信号を発生し、出力信号として出力する。
【００７５】
この出力信号のレベルが予め設定された閾値より小さい場合には、発光部４１ａからの照射光により照射された印刷ブロックを形成すべきノズルからインクが正常に吐出されたと判定し、出力信号のレベルが閾値以上である場合には、当該ノズルからインクが正常に吐出されなかったと判定する。
【００７６】
このとき、光センサ４１は、例えば、所定の未使用印刷用紙や、所定の印刷媒体上に印刷された各色の印刷パターン等により反射された反射光を検出した受光部４１ｂからの出力信号のレベルが所定値となるように、システムコントローラ５４によって制御される光センサドライバ６３の光量制御部により発光部４１ａの発光量が調整されるか、又は、光センサドライバ６３の出力制御部により受光部４１ｂの出力が調整されている。
【００７７】
尚、複数の発光装置を比較すると、同じ白色の発光装置であっても個体差があり、特定の印刷パターンを照射した際の出力値に差が生ずる。
【００７８】
従って、実際に搭載された光センサと、実際の印刷媒体と、実際のインクにより印刷された印刷パターンとを使用して、発光部の発光量又は受光部の出力を調整することにより、発光装置の個体差、印刷媒体の種類、インク色の種類等により発生し得る誤判定を防止することが可能となる。
【００７９】
以下、さらに、光学式センサの動作原理を明らかにするため、光学式センサをインク吐出判定用光学式センサとして使用するインク吐出検査の内容について説明する。
【００８０】
図５は、一色のインクにより印刷形成された検査用パターンの一例を模式的に示す説明図であり、図６は、検査用パターンを構成する検査用印刷ブロックＢＬを模式的に示す説明図である。
【００８１】
インク吐出検査に際しては、先ず、検査用パターンを作成する。この検査用パターンは、各色のインクを吐出するノズル列によりインク色ごとにそれぞれ印刷形成される検査用パターンである。即ち、総てのノズルのインク吐出状態を検査する場合には、印刷ヘッド３６が有するノズル列から吐出されるインクの色数分の検査用パターンが形成される。
【００８２】
従って、本実施の形態においては、八つの検査用パターンが作成されることになる。また、一色のノズル列にＮ個のノズルが配列されていて、それらＮ個のノズルの検査を行う場合の検査用パターンには、Ｎ個の印刷ブロックＢＬが印刷されることになる。
【００８３】
検査用パターンは、各ノズルから吐出されるインクによりノズルごとにそれぞれ形成される複数の検査用印刷ブロックＢＬにより構成され、一つの印刷ブロックＢＬは、図６に示すように、複数のインクドットＰＸにより形成される。
【００８４】
一つの印刷用検査ブロックＢＬは一つのノズルから吐出されるインクのみによって印刷形成されるので、一つの印刷用検査ブロックＢＬはそれに対応する一つのノズルの検査に用いられる。図５は、５４個のノズルを有するノズル列により形成される検査用パターンを示している。
【００８５】
この検査用パターンは、主走査方向（左右方向）に９個、副走査方向に６個の検査用印刷ブロックＢＬが配置されて構成されている。即ち、主走査方向に配列された９個の検査用印刷ブロックにより構成される検査用印刷ブロックアレイが、副走査方向に６段形成されている。
【００８６】
搬送方向の最も下流側に位置する１段目の検査用印刷ブロックアレイは、９番ノズル＃９から１番ノズル＃１までにより印刷され、２段目の検査用印刷ブロックアレイは、１８番ノズル＃１８から１０番ノズル＃１０までにより印刷され、以下同様に、６段目の検査用印刷ブロックアレイは５４番ノズル＃５４から４６番ノズル＃４６までにより印刷される。
【００８７】
検査用パターンを構成する各検査用印刷ブロックアレイの印刷に際しては、所定の位置に位置決めされた印刷用紙に対し、例えばキャリッジ２８を図５における左側から右側へ走査しつつ、５４番、４５番、３６番、２７番、１８番、９番ノズル＃５４、＃４５、＃３６、＃２７、＃１８、＃９からインクを吐出して所定数のドットを形成し、検査用印刷ブロックＢＬの主走査方向の幅の分だけ印刷する。キャリッジ２８は走査を継続しつつ、５３番、４４番、３５番、２６番、１７番、８番ノズル＃５３、＃４４、＃３５、＃２６、＃１７、＃８からインクを吐出して、第２列の検査用印刷ブロックを形成するための所定数のドットによりドット列又はラインを形成する。
【００８８】
このように、ノズル列を構成する各ノズルは、検査用パターンの主走査方向に配置される検査用印刷ブロック数に等しい数ごとのノズルを順にそれぞれグループ化してサブノズルグループとされ、各サブノズルグループの副走査方向において同一の順番に位置するノズルごとにインクを吐出して各検査用印刷ブロックを形成していく。
【００８９】
図５における左側から右側へのキャリッジ２８による走査が終了すると、印刷用紙を副走査方向にノズルピッチ分だけ搬送する。その後、右側から左側へキャリッジ２８による走査を行い、直前の走査と逆の順序で所定のノズルからインクを吐出してドット列又はラインを形成する。
【００９０】
このように、印刷用紙を副走査方向にノズルピッチ分だけ搬送する動作と、各サブノズルグループの副走査方向における同一の順番に位置するノズルごとにインクを吐出しながら主走査方向における走査を行う動作とを繰り返し、９本のドット列又はラインを形成すると検査用印刷ブロックが形成される。総てのノズルから正常にインクが吐出されると、最終的に５４個の検査用印刷ブロックを有する検査用パターンが印刷される。
【００９１】
尚、図５からも分かるように、主走査方向（左右方向）において相互に隣接する検査用印刷ブロック、例えば、５４番ノズル＃５４により形成された検査用印刷ブロックと、５３番ノズル＃５３により形成された検査用印刷ブロックとは、副走査方向にノズルピッチ分だけずれた位置に印刷される。
【００９２】
各検査用印刷ブロックを形成するドットは、相互に隣接する検査用印刷ブロック間においても等間隔に形成され、各検査用印刷ブロック間には余白部分は生じない。
【００９３】
本実施の形態では、キャリッジ２８の各走査の間に実行される印刷用紙の搬送における搬送量をノズルピッチ分としたが、当該搬送量は任意であり、例えば搬送量をノズルピッチの半分とすると、各検査用印刷ブロックを構成するドットの数が多くなり、各検査用印刷ブロックの濃度は高くなる。このとき、各検査用印刷ブロックを構成するドット列又はラインの数は１８本となる。
【００９４】
図７は、光センサによる走査の際の検査用パターン上におけるスポットの軌跡を模式的に示す説明図である。尚、図５の説明において前述したように、主走査方向において相互に隣接する検査用印刷ブロックは、厳密には、副走査方向にノズルピッチ分だけずれた位置に印刷されるのであるが、図７においては簡略化のため、各検査用印刷ブロックがずれのないマトリクス状に配置形成された状態の検査用パターン７１を示している。
【００９５】
インク吐出の有無の判定に際しては、キャリッジ２８（図１）に取り付けられた光センサ４１と印刷用紙Ｐとを相対的に移動させ、検査用印刷ブロックＢＬ上を光センサ４１により走査する。
【００９６】
このとき、光センサ４１の発光部４１ａからの照射光Ｌａ（図４）のスポットを、図７の軌跡ＸＹのように各検査用印刷ブロックＢＬに順次当てていき、検査用印刷ブロックＢＬからの反射光Ｌｂを受光部４１ｂにより検出し、検出した反射光Ｌｂの強度に応じて受光部４１ｂから出力された電気信号のレベルを所定の閾値と比較することによりインク吐出の有無を判定する。出力信号レベルと所定の閾値との比較は、各検査用印刷ブロックＢＬごとに行う。
【００９７】
尚、図２に示すように、光センサ４１が、印刷ヘッド３６の総てのノズルより下流側に配置されている場合は、下流側の一部の印刷ブロックＢＬについては、上流側の一部の印刷ブロックＢＬを印刷する際のキャリッジ２８の移動動作において光センサ４１による走査を行い、同時にインク吐出の有無を判定する。一方、図２に示す例とは異なり、光センサ４１が、印刷ヘッド３６の上流側に配置されている場合は、総ての印刷ブロックＢＬの印刷終了後に、一旦、印刷媒体を印刷媒体搬送方向上流側へ逆送してから、再び印刷媒体を下流側へ搬送しつつ、光センサ４１による走査を行い、同時にインク吐出の有無を判定する。
【００９８】
また、光センサ４１の発光部４１ａからの照射光により印刷用紙が照射される領域は、印刷用紙上において円形のスポットとなるが、本実施の形態においては、スポット内に検査用印刷ブロックＢＬが１個含まれるようにスポットが設定されている。
【００９９】
図８は、インク吐出の有無の判定における出力信号レベルと判定閾値との関係を示すグラフである。
【０１００】
目詰まりによりインクが吐出されないノズルが存在する場合、印刷用紙上に形成される検査用印刷ブロックＢＬのうち当該ノズルに対応する印刷ブロックは、インクが滴下されない空白印刷ブロックＢＬａとなる。
【０１０１】
光センサ４１の発光部４１ａから出射された照射光のスポットにより照射される印刷ブロックが空白印刷ブロックＢＬａである場合は、光センサ４１の受光部４１ｂが検出する反射光Ｌｂの強度が増加するので、検出した反射光Ｌｂの強度に応じて変換される出力信号レベルは上昇する。
【０１０２】
一方、スポットにより照射される印刷ブロックが正常に印刷された正常印刷ブロックＢＬｂである場合は、受光部４１ｂが検出する反射光Ｌｂの強度が減少するので、検出した反射光Ｌｂの強度に応じて変換される出力信号レベルは低下する。
【０１０３】
即ち、発光部４１ａにより形成されたスポットが空白印刷ブロックＢＬａを走査した際の出力信号レベルＶＬは相対的に高い値となり、スポットが正常印刷ブロックＢＬｂを走査した際の出力信号レベルＶ０は相対的に低い値となる。
【０１０４】
従って、図８に示すように、空白印刷ブロックＢＬａに対応する出力信号レベルＶＬと正常印刷ブロックＢＬｂに対応する出力信号レベルＶ０との間に、判定閾値Ｖthを設定しておくことにより、出力信号レベルと判定閾値Ｖthとを比較して、各ノズルにおけるインク吐出の有無を判定することができる。
【０１０５】
以上のようなインク吐出の有無の判定を行う際におけるハードウェアの動作は、以下の通りである。
【０１０６】
システムコントローラ５４（図３）の判定部５４ａは、インク吐出の有無を判定するために、光センサ４１からの出力信号レベルと、予め設定されメインメモリ５６に記憶された判定閾値Ｖthとを比較する。
【０１０７】
出力信号レベルが閾値Ｖthより小さい場合、スポットに含まれている印刷ブロックは正常に印刷された正常印刷ブロックであり、当該印刷ブロックの印刷に用いられたノズルからはインクが正常に吐出されていると判定する。逆に、出力信号レベルが閾値Ｖthより大きい場合、スポットに含まれている印刷ブロックはインクが滴下されなかった空白印刷ブロックであり、当該印刷ブロックの印刷に用いられたノズルからはインクが正常に吐出されていないと判定する。
【０１０８】
プリンタ２０は、発光部４１ａからの照射光により印刷用紙が照射される領域、即ち、スポット内に一つの印刷ブロックが含まれる構成とすると共に、リニアエンコーダ２９の出力とロータリーエンコーダ２５の出力とにより、キャリッジ２８と印刷用紙との相対位置を認識可能とし、さらに、総てのノズルより搬送方向の下流側に設けた光センサ４１と各ノズルとの相対位置が予め正確に調整され且つ認識されているものとする。
【０１０９】
従って、インク吐出の有無を判定するために、キャリッジ２８の走査動作によって、光センサ４１による検査用印刷ブロックの走査を行った結果、インクが滴下されなかった空白印刷ブロックが検出された場合には、リニアエンコーダ２９及びロータリーエンコーダ２５の出力に基づいて、当該空白印刷ブロックに対応するノズルを、インク吐出が正常に行われない異常ノズルとして特定することが可能である。
【０１１０】
インク吐出が正常に行われない異常ノズルが特定されたときは、当該異常ノズルのみに対しフラッシング等を実行して良好な状態に回復させたり、あるいは、当該異常ノズルが本来形成すべきドットを他のノズルを用いて形成させて印刷することも可能である。
【０１１１】
図９は、光学式センサの受光出力信号波形と判定閾値との関係を示すグラフである。
【０１１２】
上述のように、光学式センサのスポットにより照射される印刷ブロックが正常に印刷された正常印刷ブロックＢＬｂである場合は、受光部４１ｂが検出する反射光Ｌｂの強度が減少するので、検出した反射光Ｌｂの強度に応じて変換される出力信号レベルは低下する。従って、スポットが正常印刷ブロックＢＬｂを走査した際の出力信号レベルＶ０は相対的に低い値となり、この出力信号レベルＶ０を基準レベルとして受光出力信号波形は変動することとなる。
【０１１３】
一方、光学式センサのスポットにより照射される印刷ブロックが空白印刷ブロックＢＬａである場合は、光センサ４１の受光部４１ｂが検出する反射光Ｌｂの強度が増加するので、検出した反射光Ｌｂの強度に応じて変換される出力信号レベルは上昇する。従って、発光部４１ａにより形成されたスポットが空白印刷ブロックＢＬａを走査した際の出力信号レベルＶＬは相対的に高い値となり、図９に示すような受光出力信号波形においては、極大値ＶＬのピークとして観測される。
【０１１４】
それ故に、通常は、基準レベルとなる出力信号レベルＶ０とピークレベルとなる出力信号レベルＶＬとの間に、判定閾値Ｖthを設定しておくことにより、センサ受光出力信号レベルと判定閾値Ｖthとを比較して、各ノズルにおけるインク吐出の有無を判定することができる。
【０１１５】
尚、光学式センサとして、本実施の形態において想定しているものと逆の出力特性を有するものを使用する場合、又は、光学式センサを含む回路全体として、本実施の形態において想定しているものと逆の出力特性を有するものを使用する場合は、検出される反射光の強度が小さいときはセンサ受光出力の信号レベルは高くなり、反射光の強度が大きいときはセンサ受光出力の信号レベルは低くなる。
【０１１６】
さて、印刷装置に搭載されている光学式センサは、前述のように、インク吐出判定用光学式センサとしての用途に限らず、Ｂｉ−Ｄ調整のための印刷パターン検出等、反射光の強度に反映される印刷媒体表面の印刷状態又は印刷媒体の有無の検出による印刷装置の種々の動作状態の判定を行う印刷動作状態判定装置として広く使用することができ、さらには、光学式記録媒体の中心位置決定装置を構成する光学式センサとしても使用することができる。
【０１１７】
図１０は、標準的な光ディスクの形態を示す平面図である。
【０１１８】
標準的な形態のＣＤ−Ｒ、ＤＶＤ−Ｒ等の光ディスクは、図１０（ａ）に示すような直径１２０ｍｍの円形光ディスク８１であり（図は非実寸大）、中心部には回転駆動を行うための開口部８１ａが設けられている。光ディスク８１のこの標準的な形態が、最も広く普及している光ディスクの形態である。
【０１１９】
また、記録可能なデータ容量が相対的に小さい標準的な形態の光ディスクとして、図１０（ｂ）に示すような直径８０ｍｍのシングルサイズの光ディスク８２も流通している（図は非実寸大）。
【０１２０】
図１０（ａ）、図１０（ｂ）の２種類の光ディスク８１，８２は、直径は異なっているが、いずれも全円周に渡って一定の半径を有する円形光ディスクである。
【０１２１】
各家庭、各職場等においては、近来、光ディスクが様々なデータを記録するための記録媒体として広く使用されるようになってきているが、データ記録済みの光ディスクの枚数が増加してくると、多数の光ディスクを整理して管理するために、光ディスクのラベル面にタイトル等を記載する必要が生じてくる。
【０１２２】
そして、光ディスクのラベル面へのタイトル等の記載に際してラベルを綺麗に印刷したいという需要に応じて、光ディスクのラベル印刷が可能な印刷装置が増加してきている。
【０１２３】
光ディスクのラベル印刷が可能な印刷装置においては、通常、専用のディスクトレイに光ディスクを載置してディスクトレイと共に光ディスクを印刷装置に挿入し、光ディスクのラベル印刷を行う。
【０１２４】
図１１は、光ディスクを載置するディスクトレイの構造を示す平面図（ａ）及び断面図（ｂ）である。尚、図１１（ｂ）は、図１１（ａ）に示されている切断面ＡＡ’に沿った断面図である。
【０１２５】
ディスクトレイ１１０は、樹脂材料等を成型した平板状トレイであり、光ディスク８１を載置するための第１のディスク載置部としての第１の円形凹陥部１１０ａが上面に形成されており、第１の円形凹陥部１１０ａの中央部にさらにシングルサイズ光ディスク８２を載置するための第２のディスク載置部としての第２の円形凹陥部１１０ｂが形成されている。
【０１２６】
光ディスク８１のラベル印刷を行う場合は、光ディスク８１を第１の円形凹陥部１１０ａに載置し、光ディスク８２のラベル印刷を行う場合は、光ディスク８２を第２の円形凹陥部１１０ｂに載置して、ディスクトレイ１１０と共に光ディスク８１又は光ディスク８２を印刷装置に挿入し、ラベル印刷を実行する。
【０１２７】
図１２は、ディスクトレイに載置した光ディスクを印刷装置に挿入してラベル印刷を実行する際の様子の一例を示す斜視図である。
【０１２８】
この例では、光ディスク８１を載置したディスクトレイ１１０を印刷装置の前面側から矢印（１）のように挿入して、印刷装置の印刷媒体搬送機構によりディスクトレイ１１０を印刷装置内部へ逆送し、光ディスクの中心位置を決定してから、矢印（２）のように印刷媒体搬送方向にラベル印刷開始位置から所定の搬送量ごとにディスクトレイ１１０を搬送しつつ、ラベル印刷を実行する。
【０１２９】
尚、この例とは逆に、光ディスク８１を載置したディスクトレイ１１０を印刷装置の背面側から挿入して、印刷装置の印刷媒体搬送機構によりディスクトレイ１１０を印刷装置内部へ印刷媒体搬送方向に搬送し、光ディスクの中心位置を決定してから、印刷媒体搬送方向にラベル印刷開始位置から所定の搬送量ごとにディスクトレイ１１０を搬送しつつ、ラベル印刷を実行するようにしてもよい。
【０１３０】
以上のように、光ディスクのラベル印刷を実行するに際しては、正確な位置にラベル印刷を行うために、印刷開始前に予め光ディスクの中心位置を決定しておく必要がある。
【０１３１】
既存の印刷装置における光ディスクの中心位置の決定方法は、大別すると、光ディスクを直接検出して光ディスクの中心位置を算出し決定する方法と、光ディスクを載置するディスクトレイを検出してディスクトレイの中心位置を算出し、ディスクトレイの中心位置を光ディスクの中心位置とみなして光ディスクの中心位置を決定する方法とがある。
【０１３２】
以下、光ディスクの中心位置を決定する上記二つの方法について説明する。尚、いずれの方法においても、光ディスク又はディスクトレイの検出には光学式センサを使用する。
【０１３３】
図１３は、光学式センサにより光ディスクを直接走査して検出したときのセンサ受光出力を示すグラフ（ａ）、及び、その様子を示す側断面図（ｂ）である。
【０１３４】
ここで、ディスクトレイは黒色樹脂により成型されたものとし、光ディスクのラベル面はディスクトレイよりも相対的に反射率の高い表面形態に加工されているものとする。
【０１３５】
図１３（ｂ）に示すように、ディスクトレイの第１の円形凹陥部１１０ａに載置された光ディスク８１を光学式センサ４１により一方側端部から他方側端部に向かって走査していくと、光学式センサが光ディスク８１周囲のディスクトレイ１１０表面を走査している間は、ディスクトレイ１１０表面からの反射光の強度が小さいので、センサ受光出力は相対的に小さい信号レベルＶ１になっている。
【０１３６】
光学式センサ４１の照射スポット１０が、走査ライン上に位置する光ディスク８１の一方側端部Ｅ１まで移動してきて、スポット１０により照射される領域がディスクトレイ１１０表面から光ディスク８１のラベル領域表面へ移行すると、光ディスク８１表面からの反射光の強度はディスクトレイ１１０表面からの反射光の強度よりも大きくなるので、センサ受光出力は信号レベルＶ１よりも大きい信号レベルＶ３まで上昇する。
【０１３７】
その後、光学式センサ４１の照射スポット１０が光ディスク８１のラベル領域表面を照射している間はセンサ受光出力は信号レベルＶ３のまま一定であるが、スポット１０が光ディスク８１の走査ライン上に位置する中央開口部８１ａ近傍の透明又は半透明部分の一方側端部Ｐ１まで移動してくると、光ディスク８１表面からの反射光の強度は低下し、センサ受光出力は信号レベルＶ２まで低下する。
【０１３８】
さらに、光学式センサ４１の照射スポット１０が光ディスク８１の中央開口部８１ａまで移動すると、スポット１０はディスクトレイ１１０表面を照射することとなるので、センサ受光出力はさらに信号レベルＶ１まで低下する。
【０１３９】
光学式センサ４１の照射スポット１０が光ディスク８１の中央開口部８１ａを横切って走査ライン上に位置する中央開口部８１ａ近傍の透明又は半透明部分の他方側端部Ｐ２までの領域を照射するようになると、光ディスク８１表面からの反射光の強度は上昇し、センサ受光出力は信号レベルＶ２まで上昇する。
【０１４０】
さらに、光学式センサ４１の照射スポット１０が、光ディスク８１の走査ライン上に位置する中央開口部８１ａ近傍の透明又は半透明部分の他方側端部Ｐ２を通過してラベル領域表面へ移行すると、センサ受光出力は信号レベルＶ２よりも大きい信号レベルＶ３まで上昇する。
【０１４１】
その後、光学式センサ４１の照射スポット１０が、走査ライン上に位置する光ディスク８１の他方側端部Ｅ２を通過してディスクトレイ１１０表面を照射するようになると、センサ受光出力は再び信号レベルＶ１まで低下する。
【０１４２】
以上のように光ディスク８１を光学式センサ４１により直接走査した結果として、図１３（ａ）に示す信号波形が得られる。
【０１４３】
そこで、先ず、光学式センサ４１の照射スポット１０が光ディスク８１のラベル領域表面を照射し始めた位置Ｅ１及び照射し終わった位置Ｅ２を検出するために、信号レベルＶ２と信号レベルＶ３との間に閾値Ｖthdを設定し、センサ受光出力の信号波形が閾値Ｖthdを最初に通過した位置Ｅ１と最後に通過した位置Ｅ２とを特定する。
【０１４４】
そして、光学式センサによる走査ライン上に位置する光ディスク８１の一方側端部Ｅ１及び他方側端部Ｅ２の座標から、一方側端部Ｅ１と他方側端部Ｅ２との中点Ｃ１を算出すると、光ディスク８１の一方側端部Ｅ１と他方側端部Ｅ２とを結ぶ走査ライン、即ち、照射スポット１０の軌跡の垂直二等分線上に光ディスクの中心があることになる。
【０１４５】
従って、印刷装置における主走査方向及び副走査方向にそれぞれ光学式センサの走査ラインを設定し、各走査ラインにおいて検出された光ディスク８１の一方側端部及び他方側端部を結ぶ線分の垂直二等分線同士の交点を算出すると、その交点が光ディスクの中心ということになる。
【０１４６】
尚、前述のように、光学式センサとして、本実施の形態において想定しているものと逆の出力特性を有するものを使用する場合や、光学式センサを含む回路全体として、本実施の形態において想定しているものと逆の出力特性を有するものを使用する場合は、検出される反射光の強度が小さいときはセンサ受光出力の信号レベルは高くなり、反射光の強度が大きいときはセンサ受光出力の信号レベルは低くなる。従って、その場合には、図１３（ａ）のグラフは、センサ受光出力の中央値に関して上下反転させた信号波形となる。
【０１４７】
図１４は、光ディスクの中心を決定する過程を模式的に示す説明図である。尚、図１４では、図面を見やすくするために、光学式センサによる走査ラインを光ディスクの中心から大きくずらして描いている。
【０１４８】
図１３を参照して説明した要領で、先ず、主走査方向走査ラインＳＣＮ１に沿って光学式センサ４１による光ディスク８１の走査を行い、主走査方向走査ラインＳＣＮ１上に位置する光ディスク８１の一方側端部Ｑ11（ＭX1，ＭY3）及び他方側端部Ｑ12（ＭX2，ＭY3）の座標を検出し、かつ、一方側端部Ｑ11（ＭX1，ＭY3）と他方側端部Ｑ12（ＭX2，ＭY3）とを結ぶ線分の中点Ｃ１（ＭX，ＭY3）の座標を算出する。
【０１４９】
また、主走査方向走査ラインＳＣＮ１に直交する副走査方向走査ラインＳＣＮ２に沿っても同様に光学式センサ４１による光ディスク８１の走査を行い、副走査方向走査ラインＳＣＮ２上に位置する光ディスク８１の一方側端部Ｑ21（ＭX3，ＭY1）及び他方側端部Ｑ22（ＭX3，ＭY2）の座標を検出し、かつ、一方側端部Ｑ21（ＭX3，ＭY1）と他方側端部Ｑ22（ＭX3，ＭY2）とを結ぶ線分の中点Ｃ２（ＭX3，ＭY）の座標を算出する。
【０１５０】
そして、主走査方向走査ラインＳＣＮ１上における光ディスクの一方側端部Ｑ11（ＭX1，ＭY3）と他方側端部Ｑ12（ＭX2，ＭY3）とを結ぶ線分の垂直二等分線と、副走査方向走査ラインＳＣＮ２上における光ディスクの一方側端部Ｑ21（ＭX3，ＭY1）と他方側端部Ｑ22（ＭX3，ＭY2）とを結ぶ線分の垂直二等分線との交点座標を特定すると、その交点が当該光ディスク８１の中心Ｃ（ＭX，ＭY）ということになり、これを光ディスク８１の中心として決定する。決定した光ディスク８１の中心位置の座標は、ラベル印刷の際の位置制御の基準として使用する。
【０１５１】
尚、主走査方向走査ラインＳＣＮ１の走査と副走査方向走査ラインＳＣＮ２の走査とは、いずれを先に行ってもよく、順不同である。主走査方向走査ラインＳＣＮ１に沿った光学式センサ４１による走査は、光学式センサ４１が搭載されているキャリッジを主走査方向に駆動することによって行い、副走査方向走査ラインＳＣＮ２に沿った光学式センサ４１による走査は、光学式センサ４１が搭載されているキャリッジを主走査方向におけるいずれかの位置に停止させ、印刷装置の印刷媒体搬送機構によりディスクトレイ１１０を副走査方向、即ち、印刷媒体搬送方向に移動させることにより行う。
【０１５２】
ところで、一般に普及しているＣＤ−Ｒ、ＤＶＤ−Ｒ等の光ディスクは、大部分が図１０に示す円形光ディスクの形態を有するものであるが、近来の光ディスクの形態は多様化しており、円形以外の様々な形態の異形光ディスクが存在する。
【０１５３】
図１５は、異形光ディスクの形態の例を示す平面図である。
【０１５４】
近来使用されている異形ディスクには、例えば、図１５（ａ）に示す名刺サイズの略長方形光ディスクや、図１５（ｂ）に示す楕円形光ディスク等、様々な形態のものがあり、データ書込み／読出しのための回転駆動に支障がない限り、光ディスクは任意の形態に形成することができる。
【０１５５】
その他、標準的な円形光ディスクであっても、一般に販売されている記録用光ディスクのラベル面は必ずしも完全な無地ではなく、一部に文字や図形等が予め印刷されているものが少なくない。
【０１５６】
ラベル印刷の対象となる光ディスクが円形以外の異形光ディスクである場合において、光ディスクの中心位置を決定するために上述のように光ディスクを光学式センサにより直接走査する方法を採用したとすると、走査ライン上において検出される２点の端部を結ぶ線分の垂直二等分線上に光ディスクの中心が位置しているとは限らないので、光ディスクの中心位置を正確に決定できないことがあり得る。
【０１５７】
また、ラベル印刷の対象となる光ディスクのラベル面一部に文字や図形等が予め印刷されている場合において、光ディスクの中心位置を決定するために上述のように光ディスクを光学式センサにより直接走査する方法を採用したとすると、ラベル面に印刷されている文字や図形等の影響によりセンサ受光出力の信号波形に乱れが生じ、走査ライン上に位置する光ディスクの２点の端部を正確に特定することができない可能性があり、結果として光ディスクの中心位置を正確に決定できないことがあり得る。
【０１５８】
そこで、多様な形態の光ディスクにも対応可能な第二の方法として、同様に光学式センサを用いるが、光ディスクを直接走査するのではなく、光ディスクを載置するディスクトレイを走査して光ディスクの中心位置を決定する方法がある。この方法は、光ディスクを載置するディスクトレイを走査して検出したディスクトレイ上の複数箇所（通常、４箇所）の座標からディスクトレイのディスク載置部の中心位置の座標を算出し、光ディスクがディスク載置部に正常に載置されているとの仮定条件の下に、ディスク載置部の中心位置を光ディスクの中心位置とみなして、光ディスクの中心位置を決定する方法である。
【０１５９】
図１６は、ディスクトレイの走査により光ディスクの中心位置を決定する中心位置決定装置及び中心位置決定方法において使用されるディスクトレイの構成を示す平面図である。
【０１６０】
ディスクトレイの走査により光ディスクの中心位置を決定する中心位置決定装置及び中心位置決定方法において使用されるディスクトレイ１１１は、印刷装置の印刷媒体搬送方向に直交する主走査方向における光学式センサの主走査方向走査ラインＴＳＣＮ１上に位置する２個の位置標識であって、両位置標識間を主走査方向走査ラインＴＳＣＮ１に並行に結ぶ線分の垂直二等分線がディスクトレイ１１１のディスク載置部１１１ａの中心を通過するように配設されている２個の位置標識１１１Ｘ１，１１１Ｘ２と、印刷媒体搬送方向に平行な副走査方向における光学式センサの副走査方向走査ラインＴＳＣＮ２上に位置する２個の位置標識であって、両位置標識間を副走査方向走査ラインＴＳＣＮ２に並行に結ぶ線分の垂直二等分線がディスクトレイ１１１のディスク載置部１１１ａの中心を通過するように配設されている２個の位置標識１１１Ｙ１，１１１Ｙ２と、を備えている。
【０１６１】
また、ディスクトレイ１１１は、上記２組（４個）の位置標識が配設されている点を除くと、図１１のディスクトレイ１１０と同様に、樹脂材料等を成型した平板状トレイであり、光ディスク８１を載置するための第１の円形凹陥部１１１ａが上面に形成されており、第１の円形凹陥部１１１ａの中央部にさらにシングルサイズ光ディスク８２を載置するための第２の円形凹陥部１１１ｂが形成されている。
【０１６２】
ディスクトレイの走査により光ディスクの中心位置を決定する方法では、この位置標識付きディスクトレイ１１１のディスク載置部１１１ａに光ディスク８１を載置して印刷装置に挿入し、ラベル印刷開始前に光学式センサによりディスクトレイ１１１を走査して各位置標識を検出し、各位置標識の座標からディスク載置部１１１ａの中心位置の座標を算出して当該座標を光ディスクの中心位置の座標とみなして、光ディスクの中心位置を決定する。
【０１６３】
ディスクトレイの走査により光ディスクの中心位置を決定する具体的過程は、以下の通りである。先ず、主走査方向走査ラインＴＳＣＮ１に沿って光学式センサ４１によるディスクトレイ１１１の走査を行い、主走査方向走査ラインＴＳＣＮ１上に位置するディスクトレイ１１１の第１の位置標識１１１Ｘ１及び第２の位置標識１１１Ｘ２のＸ座標（主走査方向座標）ＴX1，ＴX2を検出し、かつ、第１の位置標識１１１Ｘ１と第２の位置標識１１１Ｘ２とを結ぶ線分の中点のＸ座標ＴX＝（ＴX1＋ＴX2）／２を算出する。尚、主走査方向走査ラインＴＳＣＮ１上に位置する第１の位置標識１１１Ｘ１及び第２の位置標識１１１Ｘ２並びにそれらの中点の座標については、Ｘ座標だけではなくＹ座標（副走査方向座標）も検出及び算出してもよいが、それらの各位置のＹ座標は、ディスク載置部１１１ａの中心位置の座標算出には不要であるので、ここでは省略している。
【０１６４】
一方、主走査方向走査ラインＴＳＣＮ１に直交する副走査方向走査ラインＴＳＣＮ２に沿っても同様に光学式センサ４１によるディスクトレイ１１１の走査を行い、副走査方向走査ラインＴＳＣＮ２上に位置するディスクトレイ１１１の第３の位置標識１１１Ｙ１及び第４の位置標識１１１Ｙ２のＹ座標ＴY1，ＴY2を検出し、かつ、第３の位置標識１１１Ｙ１と第４の位置標識１１１Ｙ２とを結ぶ線分の中点のＹ座標ＴY＝（ＴY1＋ＴY2）／２を算出する。尚、副走査方向走査ラインＴＳＣＮ２上に位置する第３の位置標識１１１Ｙ１及び第４の位置標識１１１Ｙ２並びにそれらの中点の座標については、Ｙ座標だけではなくＸ座標も検出及び算出してもよいが、それらの各位置のＸ座標は、ディスク載置部１１１ａの中心位置の座標算出には不要であるので、ここでは省略している。
【０１６５】
主走査方向走査ラインＴＳＣＮ１上における第１の位置標識１１１Ｘ１と第２の位置標識１１１Ｘ２とを結ぶ線分の垂直二等分線と、副走査方向走査ラインＴＳＣＮ２上における第３の位置標識１１１Ｙ１と第４の位置標識１１１Ｙ２とを結ぶ線分の垂直二等分線との交点座標を特定すると、その交点が当該ディスクトレイ１１１のディスク載置部１１１ａの中心ということになる。
【０１６６】
このディスク載置部１１１ａの中心位置の座標は、第１の位置標識１１１Ｘ１と第２の位置標識１１１Ｘ２とを結ぶ線分の中点のＸ座標ＴX＝（ＴX1＋ＴX2）／２と、第３の位置標識１１１Ｙ１と第４の位置標識１１１Ｙ２とを結ぶ線分の中点のＹ座標ＴY＝（ＴY1＋ＴY2）／２とを組み合わせたものである。
【０１６７】
従って、上述のように、主走査方向走査ラインＴＳＣＮ１上に位置するディスクトレイ１１１の第１の位置標識１１１Ｘ１及び第２の位置標識１１１Ｘ２のＸ座標ＴX1，ＴX2、並びに、副走査方向走査ラインＴＳＣＮ２上に位置するディスクトレイ１１１の第３の位置標識１１１Ｙ１及び第４の位置標識１１１Ｙ２のＹ座標ＴY1，ＴY2を検出することにより、ディスク載置部１１１ａの中心位置の座標を算出することができる。
【０１６８】
そして、ディスク載置部１１１ａの中心位置の座標を光ディスク８１の中心位置の座標とみなして、光ディスク８１の中心として決定する。決定した光ディスク８１の中心位置の座標は、ラベル印刷の際の位置制御の基準として使用する。
【０１６９】
尚、光ディスク８１を直接走査する場合と同様に、主走査方向走査ラインＴＳＣＮ１の走査と副走査方向走査ラインＴＳＣＮ２の走査とは、いずれを先に行ってもよく、順不同である。主走査方向走査ラインＴＳＣＮ１に沿った光学式センサ４１による走査は、光学式センサ４１が搭載されているキャリッジを主走査方向に駆動することによって行い、副走査方向走査ラインＴＳＣＮ２に沿った光学式センサ４１による走査は、光学式センサ４１が搭載されているキャリッジを主走査方向における第３の位置標識１１１Ｙ１及び第４の位置標識１１１Ｙ２の幅に相当するＸ座標の範囲内の位置に停止させ、印刷装置の印刷媒体搬送機構によりディスクトレイ１１０を副走査方向、即ち、印刷媒体搬送方向に移動させることにより行う。
【０１７０】
ディスクトレイの走査により光ディスクの中心位置を決定する上記方法においては、光ディスクの形態に拘わらず、光ディスク８１の中心を決定するので、比較的正確に光ディスク８１の中心位置の座標を特定することができる。
【０１７１】
しかしながら、様々なメーカーがそれぞれ独自に品質管理して製造し販売しているＣＤ−Ｒ、ＤＶＤ−Ｒ等の記録用光ディスクの中心部に形成された開口部の位置及び大きさには、多少のばらつきがあるため、上述のようにディスクトレイのみを走査してディスク載置部の中心位置を算出し、それを光ディスクの中心位置とみなす方法を取った場合、実際の光ディスクの中心位置との間にずれが発生することがあり得る。
【０１７２】
結局、光ディスク８１を直接走査する方法では、相対的に正確な中心位置の決定が可能ではあるものの、標準的な円形光ディスク以外の異形光ディスクが使用された場合には、実際の光ディスクの中心位置と決定した中心位置との間に大きなずれが発生することがあり、ディスクトレイ１１１を走査する方法では、光ディスクの開口部の位置及び大きさのばらつきに起因して、実際の光ディスクの中心位置と決定した中心位置との間に若干のずれが発生することはあるものの、標準的な円形光ディスク以外の異形光ディスクが使用された場合であっても、比較的正確な中心位置の決定が可能であり、いずれの方法も一長一短があるということになる。
【０１７３】
しかし、光ディスクのラベル印刷においては、決定した光ディスクの中心位置にわずかでもずれがあると、そのずれはラベル印刷結果には２倍になって表れる。
【０１７４】
図１７は、決定した光ディスクの中心位置のずれとラベル印刷結果のずれとの関係の一例を示す平面図である。
【０１７５】
この例では、光ディスクのラベル面周縁部の全周に渡って幅０．５ｍｍの余白を残してラベル印刷を行う場合を想定している。従って、実際の光ディスクの中心位置と決定した光ディスクの中心位置とが完全に一致し、中心位置のずれが０ｍｍである場合（Ｘ）は、光ディスクのいずれの部分においてもラベル面周縁部の余白の幅は０．５ｍｍである。
【０１７６】
しかし、例えば、実際の光ディスクの中心位置と決定した光ディスクの中心位置とが、いずれかの方向に０．１ｍｍだけずれた場合（Ｙ）には、光ディスクのラベル面周縁部の余白の幅は最大０．６ｍｍ、最小０．４ｍｍとなる。さらに、実際の光ディスクの中心位置と決定した光ディスクの中心位置とが、いずれかの方向に０．３ｍｍだけずれた場合（Ｚ）には、光ディスクのラベル面周縁部の余白の幅は最大０．８ｍｍ、最小０．２ｍｍとなる。
【０１７７】
即ち、光ディスクのラベル印刷においては、決定した光ディスクの中心位置と実際の光ディスクの中心位置とのずれは、印刷されたラベルにおいては２倍のずれとなって視覚的にも非常に目立つため、光ディスクの中心位置の決定は、より正確に行うことが求められている。
【０１７８】
そこで、本発明に係る光学式記録媒体の中心位置決定装置及び中心位置決定方法並びに印刷装置は、光ディスクを直接走査する方法及びディスクトレイを走査する方法の両者の長所が生かされ、短所が排除される構成によって、ラベル印刷の対象としての光ディスクの中心位置を決定する。
【０１７９】
具体的には、光ディスクの直接走査に基づく光ディスクの中心位置、及び、ディスクトレイの走査に基づくディスク載置部の中心位置の双方を算出すると共に、光ディスクの中心位置とディスク載置部の中心位置との間の中心間距離を算出し、当該中心間距離が所定の基準値未満の値であるときは光ディスクの直接走査に基づき算出された光ディスクの中心位置を光ディスクの中心位置として決定し、当該中心間距離が所定の基準値以上の値であるときはディスクトレイの走査に基づき算出されたディスク載置部の中心位置を光ディスクの中心位置として決定する。
【０１８０】
光ディスクの直接走査に基づく光ディスクの中心位置決定は、通常、ディスクトレイの走査に基づく光ディスクの中心位置決定よりも正確に光ディスクの中心位置を決定することができる一方、ラベル面の一部に文字、図形等が予め印刷されている光ディスクが使用された場合や、円形光ディスク以外の異形光ディスクが使用された場合には、決定する光ディスクの中心位置が実際の光ディスクの中心位置から大きくずれて、ディスクトレイの走査に基づく光ディスクの中心位置決定よりも精度が低下することが多い。
【０１８１】
そこで、本発明に係る光学式記録媒体の中心位置決定装置及び中心位置決定方法並びに印刷装置においては、上述のように、二通りの方法により算出された光ディスクの中心位置とディスク載置部の中心位置との間の中心間距離を算出し、当該中心間距離が所定の基準値未満の値であるときは光ディスクの直接走査に基づき算出された光ディスクの中心位置を採用し、当該中心間距離が所定の基準値以上の値であるときはディスクトレイの走査に基づき算出されたディスク載置部の中心位置を光ディスクの中心位置として採用することとしている。
【０１８２】
以上のように、二通りの方法により算出された光ディスクの中心位置を選択的に採用することによって、より正確かつ高精度な光ディスクの中心位置決定を実現することができる。
【０１８３】
以下、本発明に係る光学式記録媒体の中心位置決定装置及び中心位置決定方法並びに印刷装置により、光ディスクの中心位置を決定する具体的過程の一例について説明する。
【０１８４】
図１８は、本発明に係る光学式記録媒体の中心位置決定装置及び中心位置決定方法並びに印刷装置による光ディスク及びディスクトレイの走査過程の一例を模式的に示す説明図である。
【０１８５】
本発明に係る光学式記録媒体の中心位置決定装置及び中心位置決定方法並びに印刷装置においては、光ディスクの直接走査に基づく光ディスクの中心位置決定、及び、ディスクトレイの走査に基づく光ディスクの中心位置決定の双方を行うので、ラベル印刷の対象としての光ディスクを載置するディスクトレイは、一例として図１６に示すディスクトレイ、即ち、２組（４個）の位置標識が配設されたディスクトレイ１１１を使用し、そのディスク載置部１１１ａに例えば光ディスク８１を載置した状態で、光学式センサによる走査を行う。
【０１８６】
先ず、副走査方向走査ラインを含む経路（１）の走査を行い、第３の位置標識１１１Ｙ１のＹ座標ＴY1を検出する。
【０１８７】
次に、主走査方向走査ラインを含む経路（２）の走査を行い、第１の位置標識１１１Ｘ１及び第２の位置標識１１１Ｘ２のＸ座標ＴX1、ＴX2をそれぞれ検出する。
【０１８８】
更に、副走査方向走査ラインを含む経路（３）の走査を行い、当該走査ライン上に位置する光ディスクの一方側端部及び他方側端部のＹ座標ＭY1、ＭY2並びに第４の位置標識１１１Ｙ２のＹ座標ＴY2をそれぞれ検出する。
【０１８９】
最後に、主走査方向走査ラインを含む経路（４）の走査を行い、当該走査ライン上に位置する光ディスクの一方側端部及び他方側端部のＸ座標ＭX1、ＭX2をそれぞれ検出する。
【０１９０】
尚、上記走査の順序は一例であり、光ディスクの４箇所及びディスクトレイの４個の位置標識を検出することができれば、走査の順序は任意である。また、主走査方向走査ラインに沿った光学式センサ４１による走査は、光学式センサ４１が搭載されているキャリッジを主走査方向に駆動することによって行い、副走査方向走査ラインに沿った光学式センサ４１による走査は、光学式センサ４１が搭載されているキャリッジを主走査方向における第３の位置標識１１１Ｙ１及び第４の位置標識１１１Ｙ２の幅に相当するＸ座標の範囲内の位置に停止させ、印刷装置の印刷媒体搬送機構によりディスクトレイ１１０を副走査方向、即ち、印刷媒体搬送方向に移動させることにより行う。
【０１９１】
光学式センサにより光ディスクの４箇所及びディスクトレイの４個の位置標識の座標を検出したら、光ディスクの４箇所の座標に基づく光ディスクの中心位置の算出と、ディスクトレイの４個の位置標識の座標に基づくディスク載置部１１１ａの中心位置の算出とを行う。
【０１９２】
先ず、主走査方向走査ライン上に位置する光ディスク８１の一方側端部及び他方側端部のＸ座標ＭX1、ＭX2から、光ディスク８１の中心位置のＸ座標ＭX＝（ＭX1＋ＭX2）／２を、副走査方向走査ライン上に位置する光ディスク８１の一方側端部及び他方側端部のＹ座標ＭY1、ＭY2から、光ディスク８１の中心位置のＹ座標ＭY＝（ＭY1＋ＭY2）／２をそれぞれ算出して、光ディスクの直接走査に基づく光ディスクの中心位置（ＭX，ＭY）＝（（ＭX1＋ＭX2）／２，（ＭY1＋ＭY2）／２）を算出する。
【０１９３】
一方、主走査方向走査ライン上に位置するディスクトレイ１１１の第１の位置標識１１１Ｘ１及び第２の位置標識１１１Ｘ２のＸ座標ＴX1，ＴX2から、ディスク載置部１１１ａの中心位置のＸ座標ＴX＝（ＴX1＋ＴX2）／２を、副走査方向走査ライン上に位置するディスクトレイ１１１の第３の位置標識１１１Ｙ１及び第４の位置標識１１１Ｙ２のＹ座標ＴY1，ＴY2から、ディスク載置部１１１ａの中心位置のＹ座標ＴY＝（ＴY1＋ＴY2）／２をそれぞれ算出して、ディスクトレイ１１１の走査に基づくディスク載置部１１１ａの中心位置（ＴX，ＴY）＝（（ＴX1＋ＴX2）／２，（ＴY1＋ＴY2）／２）を算出する。
【０１９４】
尚、光ディスクの直接走査に基づく光ディスクの中心位置（ＭX，ＭY）、ディスクトレイ１１１の走査に基づくディスク載置部１１１ａの中心位置（ＴX，ＴY）の算出順序は、任意である。
【０１９５】
光ディスクの直接走査に基づく光ディスクの中心位置（ＭX，ＭY）、及び、ディスクトレイ１１１の走査に基づくディスク載置部１１１ａの中心位置（ＴX，ＴY）を算出後、それら二つの中心位置の間の中心間距離Ｄ＝（（ＭX−ＴX）２＋（ＭY−ＴY）２）１／２を算出する。
【０１９６】
そして、算出した中心間距離Ｄを所定の基準値Ｄrefと比較し、中心間距離Ｄが基準値Ｄref未満の値であるときは（Ｄ＜Ｄref）、光ディスクの直接走査に基づく光ディスクの中心位置（ＭX，ＭY）を光ディスクの中心位置として決定し、中心間距離Ｄが基準値Ｄref以上の値であるときは（Ｄ≧Ｄref）、ディスクトレイ１１１の走査に基づくディスク載置部１１１ａの中心位置（ＴX，ＴY）を光ディスクの中心位置として決定する。
【０１９７】
所定の基準値Ｄrefの値は任意であるが、光ディスクが円形光ディスクである場合において光ディスクの直接走査に基づき算出される光ディスクの中心位置と実際の光ディスクの中心位置との最大誤差に相当する距離と同等の値とするとよい。算出した中心間距離Ｄがそれ以上の値であれば、ディスクトレイ１１１のディスク載置部１１１ａに載置されている光ディスクが、ラベル面の一部に文字、図形等が予め印刷されている光ディスクや、円形光ディスク以外の異形光ディスクである可能性が高く、光ディスクの直接走査に基づく光ディスクの中心位置（ＭX，ＭY）よりもディスクトレイ１１１の走査に基づくディスク載置部１１１ａの中心位置（ＴX，ＴY）の方が実際の光ディスクの中心位置に近いと推測されるからである。
【０１９８】
所定の基準値Ｄrefの具体的な値は、例えば、０．５ｍｍ、３／１８０インチ≒０．４ｍｍ等、０．４ｍｍ乃至０．５ｍｍの範囲の値とするとよい。
【０１９９】
尚、本発明に係る光学式記録媒体の中心位置決定装置及び中心位置決定方法並びに印刷装置の動作は、制御装置としてのシステムコントローラ５４が制御し、必要な演算等を行う。
【０２００】
以上のように、本発明に係る光学式記録媒体の中心位置決定装置及び中心位置決定方法並びに印刷装置においては、光ディスクの直接走査に基づく光ディスクの中心位置（ＭX，ＭY）及びディスクトレイ１１１の走査に基づくディスク載置部１１１ａの中心位置（ＴX，ＴY）の双方を算出し、かつ、実際の光ディスクの中心位置に近いと推測される一方の座標を光ディスクの中心位置として採用し決定しているので、より正確かつ高精度な光ディスクの中心位置決定を実現することができる。
【０２０１】
本発明に係る光学式記録媒体の中心位置決定装置及び中心位置決定方法並びに印刷装置の上記実施の形態においては、第１乃至第４の位置標識１１１Ｘ１，１１１Ｘ２，１１１Ｙ１，１１１Ｙ２を備えたディスクトレイ１１１を用いたが、位置標識は、ディスク載置部の中心位置に関連付けて配置され、光学式走査により検出可能なものであれば、任意の形態の位置標識を採用することができる。
【０２０２】
位置標識の配置としては、上記４個の第１乃至第４の位置標識１１１Ｘ１，１１１Ｘ２，１１１Ｙ１，１１１Ｙ２の配置に限らず、例えば、ディスク載置部の中心位置のＸ座標（主走査方向座標）、Ｙ座標（副走査方向座標）を示す２個の位置標識をそれぞれ主走査方向走査ライン上、副走査方向走査ライン上に配置しておいてもよい。このような２個の位置標識を配設した場合には、２個の位置標識上を通過する主走査方向走査ライン及び副走査方向走査ラインを光学式センサにより走査することによって、直ちにディスク載置部の中心位置を検出し特定することができる。
【０２０３】
また、位置標識の形態としては、ディスクトレイ上の所定位置に塗布した塗料からなる位置標識、ディスクトレイ上の所定位置に固着した小片部材からなる位置標識、ディスクトレイ上の所定位置に開口した開口部からなる位置標識等、任意の形態を採用することができる。
【産業上の利用可能性】
【０２０４】
本発明に係る光学式記録媒体の中心位置決定装置及び中心位置決定方法並びに印刷装置は、インクジェットプリンタに限らず、光学式記録媒体としてのＣＤ−Ｒ、ＤＶＤ−Ｒ等の光ディスクのラベル印刷が可能な印刷装置全般において、光学式記録媒体の中心位置を決定するための中心位置決定装置及び中心位置決定方法、並びに、そのような中心位置決定装置を備えた印刷装置に適用することが可能である。
【図面の簡単な説明】
【０２０５】
【図１】本発明に係る印刷動作状態判定システム及び印刷動作状態判定方法並びに光学式センサ調整システム及び光学式センサ調整方法の構成の主な適用対象であるインクジェットプリンタにおける主要部の概略構成を示す斜視図である。
【図２】印刷ヘッド３６を上方から見た際のノズルと光センサ４１との配置を示す透視図である。
【図３】プリンタ２０の電気的構成を示すブロック図である。
【図４】印刷動作状態判定用光学式センサの通常の構成を模式的に示す説明図である。
【図５】一色のインクにより印刷形成された検査用パターンの一例を模式的に示す説明図である。
【図６】検査用パターンを構成する検査用印刷ブロックＢＬを模式的に示す説明図である。
【図７】光センサによる走査の際の検査用パターン上におけるスポットの軌跡を模式的に示す説明図である。
【図８】インク吐出の有無の判定における出力信号レベルと判定閾値との関係を示すグラフである。
【図９】光学式センサの受光出力信号波形と判定閾値との関係を示すグラフである。
【図１０】標準的な光ディスクの形態を示す平面図である。
【図１１】光ディスクを載置するディスクトレイの構造を示す平面図（ａ）及び断面図（ｂ）である。
【図１２】ディスクトレイに載置した光ディスクを印刷装置に挿入してラベル印刷を実行する際の様子の一例を示す斜視図である。
【図１３】光学式センサにより光ディスクを直接走査して検出したときのセンサ受光出力を示すグラフ（ａ）、及び、その様子を示す側断面図（ｂ）である。
【図１４】光ディスクの中心を決定する過程を模式的に示す説明図である。
【図１５】異形光ディスクの形態の例を示す平面図である。
【図１６】ディスクトレイの走査により光ディスクの中心位置を決定する中心位置決定装置及び中心位置決定方法において使用されるディスクトレイの構成を示す平面図である。
【図１７】決定した光ディスクの中心位置のずれとラベル印刷結果のずれとの関係の一例を示す平面図である。
【図１８】本発明に係る光学式記録媒体の中心位置決定装置及び中心位置決定方法並びに印刷装置による光ディスク及びディスクトレイの走査過程の一例を模式的に示す説明図である。
【符号の説明】
【０２０６】
１０  照射領域（スポット）
２０  プリンタ
２２  用紙スタッカ
２４  紙送りローラ（搬送ローラ）
２５  ロータリーエンコーダ
２６  プラテン板
２８  キャリッジ
２９  リニアエンコーダ
３０  キャリッジモータ
３１  搬送モータ
３２  牽引ベルト
３３  符号板
３４  ガイドレール
３６  印刷ヘッド
４１  光センサ
４１ａ  発光部
４１ｂ  受光部
５０  受信バッファメモリ
５２  イメージバッファ
５４  システムコントローラ
５４ａ  判定部
６１  主走査ドライバ
６２  副走査ドライバ
６３  光センサドライバ
６６  ヘッドドライバ
７１  印刷パターン
８１  光学式記録媒体（光ディスク）
８１ａ  光ディスクの開口部
８２  シングルサイズ光ディスク
８３  名刺サイズ略長方形光ディスク
８４  楕円形光ディスク
１００  ホストコンピュータ
１１０  ディスクトレイ
１１０ａ，１１０ｂ  ディスク載置部
１１１  ディスクトレイ
１１１ａ，１１１ｂ  ディスク載置部
１１１Ｘ１，１１１Ｘ２，１１１Ｙ１，１１１Ｙ２  位置標識
１２０  プリンタ本体
２００  クリーニング機構
２１０  ヘッドキャップ
ＢＬ  印刷ブロック
ＢＬａ  空白印刷ブロック
ＢＬｂ  正常印刷ブロック
ＣＤ  濃シアンインクノズル列
ＣＬ  淡シアンインクノズル列
ＫＤ  ブラックインクノズル列
ＫＬ  淡ブラックインクノズル列
ＫＰ  フォトブラックインクノズル列
ＭＤ  濃マゼンタインクノズル列
ＭＬ  淡マゼンタインクノズル列
ＹＤ  イエローインクノズル列
Ｌａ  投射光
Ｌｂ  反射光
ＭＳ  主走査方向
Ｐ  印刷用紙
ＳＳ  副走査方向
Ｖth  判定閾値
Ｖ０  空白印刷ブロックの出力信号レベル
ＶＬ  正常印刷ブロックの出力信号レベル（受光出力信号のピーク）
【図１】
2005138431.tif 000003
【図２】
2005138431.tif 000004
【図３】
2005138431.tif 000005
【図４】
2005138431.tif 000006
【図５】
2005138431.tif 000007
【図６】
2005138431.tif 000008
【図７】
2005138431.tif 000009
【図８】
2005138431.tif 000010
【図９】
2005138431.tif 000011
【図１０】
2005138431.tif 000012
【図１１】
2005138431.tif 000013
【図１２】
2005138431.tif 000014
【図１３】
2005138431.tif 000015
【図１４】
2005138431.tif 000016
【図１５】
2005138431.tif 000017
【図１６】
2005138431.tif 000018
【図１７】
2005138431.tif 000019
【図１８】
2005138431.tif 000020